(57)【要約】      （修正有）【課題】天板下方のスペースを広く取ることができ、配線の取り回しも容易に行い得る天板付家具を提供する。【解決手段】本発明に係るに係る天板付家具は、昇降可能に設けられた可動天板と、この可動天板の反使用縁側に設けられた枠体状をなすフレーム構造体５と、このフレーム構造体５に設けられ可動天板を昇降可能に支持する支持構造体６と、フレーム構造体５内に設けられ横方向全域に亘って配線を挿通し得る横配線空間とを具備することを特徴とする。【選択図】図９
2018079024.tif 000002
【特許請求の範囲】
【請求項１】
昇降可能に設けられた可動天板と、
この可動天板の反使用縁側に設けられた枠体状をなすフレーム構造体と、
このフレーム構造体に設けられ前記可動天板を昇降可能に支持する支持構造体と、
前記フレーム構造体内に設けられ横方向全域に亘って配線を挿通し得る横配線空間と
を具備することを特徴とする天板付家具。
【請求項２】
前記フレーム構造体が、床面近傍に横方向に延びる下フレームと、この下フレームの両側から立設する側フレームと、前記下フレームの中間位置から前記支持構造体を支持するとともに横方向に配線を挿通し得る配線挿通孔を有する支持フレームとを具備したものであり、
前記下フレーム近傍から前記配線挿通孔に亘って前記横配線空間を形成している請求項１記載の天板付家具。
【請求項３】
前記下フレームが上向きに開口するチャネル材であり、当該チャネル材の中間位置に中空枠状の前記支持フレームを固定している請求項２記載の天板付家具。
【請求項４】
前記支持構造体が、昇降動作する上端部に接続された電源ケーブルから供給される電動によりテレスコープ状に突没可能な昇降機構を有するものであり、
前記フレーム構造体が、前記側フレームの上端間に架設され前記電源ケーブルを挿通し得る上挿通孔を有した上フレームを有し、
前記電源ケーブルが、前記可動天板から垂下させた案内部材に沿って案内されるとともに前記上挿通孔を挿通し下方へ案内される請求項１〜３の何れかに記載の天板付家具。
【請求項５】
前記フレーム構造体が、前記上フレームから垂下させ上下方向における中間位置で配線を案内し得る配線ダクトを有している請求項４記載の天板付家具。
【請求項６】
前記可動天板の反使用縁側に隣接され前記フレーム構造体に固定された固定天板をさらに有するものであり、
前記フレーム構造体が前記可動天板の反使用縁側のみから配線を引き出し可能に構成される請求項１〜５の何れかに記載の天板付家具。
【請求項７】
前記フレーム構造体が、前記可動天板の反使用縁側にのみ開放された形状をなす請求項６記載の天板付家具。
【請求項８】
前記側フレームの外側に切々され前記天板下方の下肢空間を側方に仕切り得る側板を有するものであり、
この側板が、前記フレーム構造体内へのアクセスを可能とするための通線窓を有している請求項１〜７の何れかに記載の天板付家具。
【発明の詳細な説明】
【技術分野】
【０００１】
本発明は、昇降可能に構成された天板を有する天板付家具に関するものである。
【背景技術】
【０００２】
従来、接客者による顧客への接客を目的としたスペースでは、一台の天板付家具を介して顧客と接客者が対面するレイアウトとなるのが通例である。そして顧客又は接客者が着座姿勢、起立姿勢何れの姿勢でも使用できるよう、対をなす天板がそれぞれ昇降可能に構成されている天板付家具も提案されている（例えば、特許文献１参照）。
【先行技術文献】
【特許文献】
【０００３】
【特許文献１】特開２００６−１５８７３１号公報
【発明の概要】
【発明が解決しようとする課題】
【０００４】
そして、上記の特許文献１に記載のものは、天板を昇降可能に支持するための構造を天板の側方に設けられた側板に収納している。
【０００５】
しかしながら天板を昇降させるための機構を側板に収納するとなると、側板自体の厚みも大きくなってしまい、その結果少なくとも天板下方の下肢空間の幅方向のスペースが制限されることとなる。また接客業務を目的とする天板付家具では同形状の天板付家具を幅方向に複数連接させて配置するという態様が多く採られているが、上記特許文献１のものでは左右の側板間に亘る配線ダクトを下肢空間に設けなければ前記態様を実現することができず、しかも配線ダクトはモータボックスを避けて配置しなければならないなど、配線ダクトの配置も困難なものとなっている。
【０００６】
本発明は、上記のような課題を解消することを目的としており、天板下方のスペースを広く取ることができ、配線の取り回しも容易に行い得る天板付家具を提供することを目的とするものである。
【課題を解決するための手段】
【０００７】
本発明は、かかる目的を達成するために、次のような手段を講じたものである。
【０００８】
すなわち、本発明に係る天板付家具は、昇降可能に設けられた可動天板と、この可動天板の反使用縁側に設けられた枠体状をなすフレーム構造体と、このフレーム構造体に設けられ前記可動天板を昇降可能に支持する支持構造体と、前記フレーム構造体内に設けられ横方向全域に亘って配線を挿通し得る横配線空間とを具備することを特徴とする。
【０００９】
このようなものであれば、天板を昇降可能に支持するための構成を側板に設ける必要性を有効に排除することができる。その結果、側板を薄く構成したり側板自体を設けない構成としたりして下肢空間を幅方向に大きく確保することが可能となる。またフレーム構造体内に横配線空間を設けることで、配線の取り回しも容易に行うことができる。すなわち本発明によれば、天板下方のスペースを広く取ることができ、配線の取り回しも容易に行い得る天板付家具を提供することができる。
【００１０】
フレーム構造体の厚みを有効に抑えつつ横配線空間による配線の取り回しを行い易くするためには、フレーム構造体を、床面近傍に横方向に延びる下フレームと、この下フレームの両側から立設する側フレームと、下フレームの中間位置から支持構造体を支持するとともに横方向に配線を挿通し得る配線挿通孔を有する支持フレームとを具備したものであり、下フレーム近傍から配線挿通孔に亘って横配線空間を形成することが望ましい。
【００１１】
簡素な構成で横配線空間を構成するためには、下フレームを上向きに開口するチャネル材とし、当該チャネル材の中間位置に中空枠状の支持フレームを固定することが望ましい。
【００１２】
支持構造体を作動させるための配線の取り回しを好適に行い得るための構成として、支持構造体を、昇降動作する上端部に接続された電源ケーブルから供給される電動によりテレスコープ状に突没可能な昇降機構を有するものとし、フレーム構造体を、側フレームの上端間に架設され電源ケーブルを挿通し得る上挿通孔を有した上フレームを有し、電源ケーブルを、天板から垂下させた案内部材に沿って案内するとともに上挿通孔を挿通し下方へ案内する態様とすることが望ましい。
【００１３】
フレーム構造体内に挿通させる配線の種類が多くなっても互いの配線同士が干渉し難いようにするためには、フレーム構造体を、上フレームから垂下させ上下方向における中間位置で配線を案内し得る配線ダクトを有したものとすることが望ましい。
【００１４】
接客を目的とした用途に好適に対応できるようにするためには、可動天板の反使用縁側に隣接されフレーム構造体に固定された固定天板をさらに有するものとし、フレーム構造体が天板の反使用縁側のみから配線を引き出し可能に構成することが好ましい。
【００１５】
そして、下肢空間における配線の取り回しやメンテナンス作業を行い易いようにするためには、フレーム構造体を、可動天板の反使用縁側にのみ開放された形状とすることが望ましい。
【００１６】
配線の外方への案内を容易なものとしつつ複数の天板付家具を利用したレイアウトをとっても配線が外方に露出し難いものとするためには、側フレームの外側に切々され天板下方の下肢空間を側方に仕切り得る側板を有するものとし、この側板が、フレーム構造体内へのアクセスを可能とするための通線窓を有したものとすることが望ましい。
【発明の効果】
【００１７】
本発明は、以上説明した構成であるから天板下方のスペースを広く取ることができ、配線の取り回しも容易に行い得る天板付家具を提供することができる。
【図面の簡単な説明】
【００１８】
【図１】本発明の一実施形態に係る斜視図。
【図２】同実施形態に係る他の斜視図。
【図３】同正面図。
【図４】同平面図。
【図５】同背面図。
【図６】同右側面図。
【図７】同中央側断面図。
【図８】図７に係る動作説明図。
【図９】同実施形態に係る作用説明図。
【図１０】同上。
【発明を実施するための形態】
【００１９】
以下、本発明の一実施形態を、図１〜図１０を参照して説明する。
【００２０】
本実施形態に係る天板付家具は、例えば銀行や他の店舗における接客業務のために利用されるべく接客者と顧客との間に介在するように配置することで接客用カウンターとして好適に利用され得るものである。
【００２１】
天板付家具は、主に銀行の店員といった接客者が利用するための固定天板１と、この固定天板１を下方から支持するための固定脚２と、固定天板１の反使用端側に隣接して設けられた上下方向に昇降可能な可動天板３と、この可動天板３から垂下させて設けられた可動幕板と、可動天板３の両側に設けられた側板７と、両側板７間に架設されたフレーム構造体５と、このフレーム構造体５内に設けられ可動天板３を昇降可能に支持するための支持構造体６とを有している。言い換えると、可動天板３は床面に接地してある側板７間に支持されたフレーム構造体５に、支持構造体６を介して昇降可能に支持されている。
【００２２】
ここで、本実施形態に係る天板付家具は、昇降可能に設けられた可動天板３と、この可動天板３の反使用縁側に設けられた枠体状をなすフレーム構造体５と、このフレーム構造体５に設けられ可動天板３を昇降可能に支持する支持構造体６と、フレーム構造体５内に設けられ横方向全域に亘って配線を挿通し得る横配線空間Ｓとを具備することを特徴とする。
【００２３】
以下、天板付家具の各部の構成について図１〜図１０を参照して説明する。なお図１及び図２は当該天板付家具を示す斜視図である。そして本実施形態では図示の便宜上、フレーム構造体５内に配される配線Ｈ及び、支持構造体６の一部である電源ケーブル６１は、要部を拡大した図９及び要部の分解斜視図である図１０にのみ示している。
【００２４】
固定天板１は、本実施形態では使用者のうち、主として着座している接客者により使用される。この固定天板１は、天板面を構成する天板本体１０と、この天板本体１０の側縁から突出し、同じ形状をなす他の天板付家具に連接固定するための連接プレート１２と、天板本体１０の下面側において連接プレート１２に係り合うプレート受け１３とを有している。そして固定天板１は、縁部である反使用端に二箇所、使用端側の隅部において二箇所、すなわち計四本の固定脚２により支持されてなる。また固定天板１は、図７及び図８に示すように、反使用縁側に、可動天板３側との隙間を充填するための隙間充填部材１１を配している。当該隙間充填部材１１が固定天板１と可動天板３側との間の隙間を常に埋めているため、固定天板１に載置した物品が反使用縁側から可動天板３側へ脱落することは無い。当該隙間充填部材１１の一例としては、モヘアを含む、天然繊維或いは化学繊維からなる毛織物を挙げることができる。当該モヘアに代表されるような毛織物であれば、固定天板１と可動天板３側との間の隙間を常に好適に埋め得るものとなる。
【００２５】
固定脚２は、固定天板１の反使用端側の縁部において支持構造体６に連結される連結脚２１と、固定天板１の使用端側の隅部において固定天板１を支持する端部脚２２と、この端部脚２２の中間位置に固定されフレーム構造体５側に連結される連結板２３とを有している。連結脚２１は、矩形パイプ状をなす脚本体２４と、この脚本体２４の下端に設けられたアジャスタ２５とを有している。そして図１０に示すように、脚本体２４の上下方向中間位置には連結板２３を取り付けるための板取付穴２４ａが設けられている。端部脚２２は、矩形パイプ状をなす脚本体２６と、この脚本体２６の下端に設けられたアジャスタ２７とを有している。連結板２３は、板金を屈曲成形させてなる板本体２８と、この板本体２８に穿たれフレーム構造体５側にねじ止めされるための長穴２９とを有している。つまりこの固定脚２は、固定天板１を支持する連結脚２１のアジャスタ２５並びに端部脚２２のアジャスタ２７を適宜調節することによって床面に不陸が生じていても固定天板１の上面が水平に保たれる。そして固定脚２により固定天板１の水平が保たれた上で、連結板２３を介してフレーム構造体５に固定される。
【００２６】
可動天板３は、固定天板１の反使用端側に隣接し上下昇降可能に設けられたものである。この可動天板３は図１０に特に示すように、天板面を構成する天板本体３０を主体とするものであり、下面側には当該天板本体３０の昇降動作とともに動作する電源ケーブル６１を案内するための案内部材３１を有している。案内部材３１は、長尺状の板金素材を概略Ｌ字状に屈曲形成し、天板本体３０に一方の直線部分がねじ止めされることにより設けられている。しかし当該案内部材３１の具体的な形状や素材は電源ケーブル６１を案内し得るものであれば既存の種々の構成を利用し得る。そしてこの可動天板３は、固定天板１と可動天板３との間に形成される段差や隙間を塞ぐために設けられた可動幕板４を反使用端近傍から垂下させてなる。
【００２７】
可動幕板４は、可動天板３の天板本体３０の反使用縁から下方に垂下する可動パネルたる第一の幕板４１と、この第一の幕板４１から使用端側に所定距離離間させた位置から下方へ垂下する第二の幕板４２とを有している。第一の幕板４１は、例えば板金素材を適宜折り曲げることにより構成されたもので可動天板３の動作範囲にかかわらず常に固定天板１側から可動天板３の下側を隠蔽し得るものである。また第一の幕板４１は昇降動作を行う際、フレーム構造体５の一部に近接し場合によっては摺動しながらの昇降動作を可能とすることにより、外力が加わったとしても厚み方向のぐらつきや不要な撓みが有効に禁止されている。第二の幕板４２は、第一の幕板４１から所定寸法離間して可動天板３の天板本体３０から垂下するものであり、フレーム構造体５側の構成とともに可動天板３の下肢空間側から固定天板１の下肢空間を隠蔽するためのものである。この第二の幕板４２は、一定の厚み寸法を有するパネル素材を主体としたものであるが、当該パネル素材については既存の構成を適宜利用し得るため、詳細な説明を省略するものとする。
【００２８】
側板７は、可動天板３の両側に位置づけられて立設されたものであり、フレーム構造体５を両側から支持することにより可動天板３を間接的に支持しつつ、可動天板３下方の下肢空間を側方から隠蔽するためのものである。この側板７は、パネル要素を主体とした側パネル７１と、この側パネル７１に設けられフレーム構造体５内に収容した配線等を外方へ案内し得る、上下二つの概略矩形状をなす通線窓７２と、下端に設けられたアジャスタ７３とを有している。このアジャスタ７３の調節により、当該側板７に間接的に支持されている可動天板３もまた上面が安定して水平に保持され得る。
【００２９】
フレーム構造体５は、両側を側板７に固定されることにより支持されつつ可動天板３を間接的に支持するとともに、内部に各種の配線Ｈ等を収容し得るものである。このフレーム構造体５は、床面近傍に横方向に延びる下フレーム５１と、この下フレーム５１の両側から立設する側フレーム５２と、下フレーム５１の中間位置から支持構造体６を支持するとともに横方向に配線Ｈを挿通し得る配線挿通孔５４ｂを有する支持フレーム５４と、側フレーム５２の上端間を架設する上フレーム５３と、この上フレーム５３から垂下させて設けた配線ダクト５５と、側フレーム５２に着脱可能に掛け止められた固定パネル５６と、下フレーム５１に固定され固定パネル５６の下方に連続して床面近傍まで垂下する床上パネル５７とを具備している。下フレーム５１は、上向きに開口した概略チャネル状をなしたものであり、配線Ｈを収容し得るダクト部５１ａと、底壁部分に設けられ配線Ｈを床面へ案内し得る下穴５１ｂと、床上パネル５７をねじ止めするための取付穴５１ｃを有している。側フレーム５２は、外側の略全域が側板７に対して固定されたものであり、下端部は下フレーム５１を固定するとともに上端部は上フレーム５３を固定している。そして側フレーム５２には、側板７に設けられた通線窓７２に連通する開口である通線孔５２ａが設けられている。上フレーム５３は、側フレーム５２の上端間に架設されたものであり、案内部材３１を上下に接すること無く挿通させるための上挿通孔５３ａと、配線ダクト５５を取り付けるための開口である懸吊部５３ｂ（図１０）とを有している。この懸吊部５３ｂは配線ダクト５５を横方向に一定の範囲位置変更可能に固定し得る等間隔に複数設けられた配線ダクトをねじ止めするための開口である。支持フレーム５４は、下フレーム５１の中間位置の二箇所から立設され上端を上フレーム５３に固定されたものであり、支持構造体６を下フレーム５１から上方へ一定寸法離間させた状態で収容する中空枠状の収容部５４ａと、支持構造体６よりも下側、すなわち下フレーム５１近傍には横方向に連通する配線挿通孔５４ｂと、連結板２３に対してねじ止めされるための連結孔５４ｃ（図１０）と、固定パネル５６を掛け止めするために上端及び下端近傍に穿たれた引掛孔５４ｄとを有している。本実施形態では支持フレーム５４に配線挿通孔５４ｂを設けることによってフレーム構造体５内には横方向全域に亘って配線Ｈを挿通させ得る横配線空間Ｓが形成される。配線ダクト５５は、上フレーム５３の横方向中間位置から配線ダクト５５を垂下させ設けた板金素材を側面視概略チャネル状に成形したものであり、フレーム構造体５の上下方向における中間位置で配線Ｈを案内し得るものである。この配線ダクト５５は、主に配線Ｈ等の一部分をフレーム構造体５における上下方向中間位置で保持するためのダクト本体５５ａと、第一の幕板４１に近接するか相対的に摺動し得る第一案内面５５ｂと、固定パネル５６に接した状態で固定パネル５６の厚み方向のずれを防止し得る第二案内面５５ｃとを有している。すなわち本実施形態ではこの配線ダクト５５は、第一の幕板４１及び第二の幕板４２間に介在している。固定パネル５６は、両側フレーム５２間の離間距離に略等しい幅寸法を有しながら支持フレーム５４に取り付けられることで、第二の幕板４２とともに可動天板３の反使用縁側を隠蔽し、固定天板１側の下肢空間にのみ横配線空間Ｓが開放されるようにしたものである。また当該固定パネル５６が、第二の幕板４２に厚み方向に近接し可動天板３の動作範囲において常に少なくとも一部が第二の幕板４２に対し上下方向に重複している。この固定パネル５６は、板状をなすパネル本体５６ａと、このパネル本体５６ａの上端付近において上向きかぎ状に形成された上フック５６ｂと、パネル本体５６ａの下端付近において下向きかぎ状に形成された下フック５６ｃとを有している。この固定パネル５６は、これら上フック５６ｂ、下フック５６ｃを支持フレーム５４の引掛孔５４ｄに対し、上下何れか一方を一方の引掛孔５４ｄに深く挿入しつつ他方を他方の引掛孔５４ｄに挿入することで取り付けることができる。これにより固定パネル５６はなんら工具や他の部品を必要とせずに支持フレーム５４に対して容易に着脱可能な構成が実現されている。床上パネル５７は、上端が固定パネル５６の下端に重複しつつ下端を床面に接するか略接する箇所にまで届くように下フレーム５１に取り付けられるものである。床上パネル５７は、下フレーム５１に縦方向に取り付けられる立板５７ａと、この立板５７ａから略直角に屈曲し床面に接するか略接する接地板５７ｂと、立板５７ａに複数形成され、下フレーム５１の取付穴５１ｃに対し上下に微調整しながらねじ止めされるための長穴５７ｃとを有している。この長穴５７ｃにより、床面に多少の傾斜が存在しても長穴５７ｃと取付穴５１ｃとの相対位置を調整しながら床上パネル５７を下フレーム５１にねじ止めし、床面と接地板５７ｂとの間に形成される隙間を塞ぐことができる。すなわち当該床上パネル５７により、第二の幕板４２、固定パネル５６とともに、可動天板３下方の下肢空間は上下に亘って完全に固定天板１側から隠蔽される。換言すれば本実施形態では第二の幕板４２、固定パネル５６及び当該床上パネル５７により、固定天板１側の下肢空間は上下に亘って略完全に可動天板３側から隠蔽されている。つまり、フレーム構造体５が可動天板３の反使用縁側である固定天板１側のみから配線Ｈを引き出し可能に構成される。これはすなわち当該天板付家具は、固定天板１を利用する接客者側のみから配線Ｈの取り回しやメンテナンスを容易に行い得る仕様であることを意味する。
【００３０】
支持構造体６は、特に図７、図８及び図１０に示すように、可動天板３を上下昇降可能に支持すべく電力により伸縮動作するものである。支持構造体６は、本実施形態では図７に示すように伸縮動作により可動天板３を固定天板１よりも高い位置に保持する通常位置（Ｐ）と、図８に示すように可動天板３を固定天板１に対し面一な位置で保持し得る面一位置（Ｑ）との間で可動天板３を昇降可能に支持するものである。この支持構造体６は、主に伸縮動作をおこなう昇降機構６０と、この昇降機構６０へ電力を供給するためにフレーム構造体５内に取り回される電源ケーブル６１と、可動天板３の下面側に例えば一体に形成され可動天板３の撓みを有効に防止するための天板補強部材６２とを有している。昇降機構６０は、支持フレーム５４に固定される固定部６３と、この固定部６３からテレスコピック状に突没する可動部６４と、可動部６４の上端において電源ケーブル６１に接続されるケーブル接続部６５（図１０）とを有している。
【００３１】
ここで本実施形態に係る天板付家具は、図７〜図１０に示すように、支持構造体６が、フレーム構造体５の支持フレーム５４を利用することで、固定天板１に対し相対的な取付位置を調整可能に接続する連結機構Ｘを介して接続されている。この連結機構Ｘは、固定天板１との高さ位置を調整可能となるように、固定脚２の連結板２３及び支持フレーム５４から構成されている。つまり、本実施形態に係る天板付家具は、設置する場所を選ぶこと無く、固定天板１及び可動天板３がともに水平で有り且つ面一な面一位置（Ｑ）が安定して実現される。
【００３２】
具体的に説明すると、本実施形態の天板付家具を設置する際の一例としては、予め固定脚２の連結板２３とフレーム構造体５の支持フレーム５４とはねじ止めせずにフレーム構造体５側にある支持フレーム５４の連結孔５４ｃと、固定脚２側にある連結板２３の長穴２８とが連通するように隣接させるのみの状態としておく。そして固定天板１側では、固定脚２に設けられた四つのアジャスタ２５、２７の調整を行うことにより、固定天板１の天板本体１０が水平となるよう設置する。平行して可動天板３側においては予め支持構造体６を操作し、可動天板３を動作範囲下端に保持させる。そして側板７に設けられた四つのアジャスタ７３を調整し、可動天板３の天板本体３０を水平とし、且つ固定天板１に対し面一となるようにする。しかる後、上述の連結孔５４ｃと長穴２８とを図示しないねじにより強固にねじ止めすれば、天板付家具は好適に設置される。
【００３３】
また本実施形態に係る天板付家具は、特に図９及び図１０に示すように、フレーム構造体５内に設けられ横方向全域に亘って配線Ｈを挿通し得る横配線空間Ｓが設けられる。
【００３４】
具体的に説明すると、図９及び図１０に示すように、支持フレーム５４の収容部５４ａよりも下側には、幅方向に配線Ｈを挿通し得る配線挿通孔５４ｂが形成される。これにより同図に示すように、下フレーム５１のダクト本体５５ａに案内される配線Ｈは下肢空間側へはみ出すことなくフレーム構造体５に平面視重複した空間のみで取り回すことができる横配線空間Ｓが好適に設けられる。
【００３５】
加えて本実施形態に係る天板付家具は特に図１０に示すように、支持構造体６が、昇降動作する上端部に接続された電源ケーブル６１から供給される電動によりテレスコープ状に突没可能な昇降機構６０を有するものであり、フレーム構造体５が、側フレーム５２の上端間に架設され電源ケーブル６１を挿通し得る上挿通孔５３ａを有した上フレーム５３を有し、電源ケーブル６１が、可動天板３から垂下させた案内部材３１に沿って案内されるとともに上挿通孔５３ａを案内部材３１とともに挿通し下方へ案内される。
【００３６】
つまり可動天板３に取り付けられた案内部材３１は、電源ケーブル６１を添設させながら可動天板３の上下動と連動する上下動は、添設している電源ケーブル６１の一部分とともに上挿通孔５３ａを挿抜する動作に相当する。
【００３７】
また本実施形態では案内部材３１に案内された電源ケーブル６１は更に配線ダクト５５へ案内され配線ダクト５５のダクト本体５５ａに一部が保持され得る。その結果、電源ケーブル６１が不要に下フレーム５１のダクト部５１ａに案内される他の配線Ｈ等に干渉してしまうことが有効に回避されている。
【００３８】
更に本実施形態に係る天板付家具は、可動天板３の動作範囲において常に第一の幕板４１及び固定パネル５６が正面視少なくとも一部分が重複するように構成されているので、下肢空間から光が漏れて天板付家具の見た目を損なうこともない。また本実施形態では、斯かる構成に加え、第一の幕板４１が可動天板３から垂下する態様としているので、可動天板３側に顧客が位置しているときは可動天板３の反使用縁から書類等が脱落しても固定天板１側の下肢空間に書類等が紛れ込むこともない。また固定パネル５６は可動天板３側から遠い位置に配されているため、可動天板３の使用者にはより広い下肢空間を提供し得るものとなっている。また本実施形態では、可動天板３から垂下される第二の幕板４２を固定パネル５６よりも可動天板３の使用端側に配している。これにより、可動天板３の下肢空間に形成される第二の幕板４２と固定パネル５６とにより形成される隙間は常に可動天板３側から下向きに面することとなる。これはすなわち、可動天板３の下肢空間から書類が落下或いは脱落しても、第二の幕板４２と固定天板５６との間の隙間にはまり込み、誤って固定天板１側の下肢空間へ紛れ込むことは無い。なお、もし第二の幕板４２が固定パネル５６よりも固定天板１寄りに配されている場合は、可動天板３の下肢空間に上向きの隙間が形成されてしまい、可動天板３の下肢空間から上記隙間から書類が固定天板１の下肢空間に紛れ込むリスクが生じることとなる。
【００３９】
以上のように、本実施形態に係る天板付家具は一方の可動天板３の位置を調整するだけで容易に面一位置（Ｑ）を実現させることができるので、可動天板３の昇降動作によって接客業務における顧客側の態様をフレキシブルに変更可能な態様を、簡素な構成にて実現せしめている。加えて本実施形態によれば、固定天板１に着座する者に対しては天板昇降に起因する姿勢変更は要求されない。つまり、固定天板１を利用する接客者は天板の不意な昇降による不利益、例えば接客者側用の資料の脱落や固定天板１上に載置した物品の不意な転倒といった予想しない不具合を招来することはない。
【００４０】
より簡素な構成で容易に面一位置（Ｑ）を実現するために本実施形態では、支持構造体６を、可動天板３を降下させた下端位置が面一位置（Ｑ）となるようにしている。
【００４１】
面一位置（Ｑ）を正確に実現するための構成として本実施形態では、支持構造体６を、下端位置で可動天板３の振れを防止するガイドたる面一ガイド６２を設けた態様を適用している。
【００４２】
また、設置箇所における床面の不陸や傾斜の有無にかかわらず固定天板１と可動天板３との正確な相対位置を安定して支持するために本実施形態では、支持構造体６を、固定天板１に対し相対的な取付位置を調整可能に接続する連結機構Ｘを介して接続するものとしている。
【００４３】
特に、面一位置（Ｑ）を正確に実現するための連結機構Ｘの態様として本実施形態では、固定天板１との高さ位置を調整可能に構成した態様を適用している。
【００４４】
加えて本実施形態では、固定天板１を、縁部から垂下する複数の固定脚２により床面から支持されているものとし、この複数の固定脚２の各々が、固定天板１に固定される脚本体２４、２６と、この脚本体２４、２６と床面との距離を調整しながら床面に接地するアジャスタ２５、２７とを有しているものとしているので、固定天板１の天板面を正確に水平なものとした面一位置（Ｑ）が実現されている。
【００４５】
また、面一位置（Ｑ）にある固定天板１と可動天板３との間に異物が詰まるという不具合を有効に回避するために本実施形態では、固定天板１を、反使用端側に面一位置（Ｑ）において可動天板３との隙間を充填するための隙間充填部材１１を有するものとしている。
【００４６】
固定天板１、可動天板３間の段差を常に塞ぐようにして、異物の詰まりや物品の落下を有効に防止するために本実施形態では、可動天板３の反使用縁に、固定天板１と可動天板３との間に形成される段差を常に塞ぎ得る可動パネルたる第一の幕板４１を更に設けた。
【００４７】
更に本実施形態に係る天板付家具は、可動天板３の動作範囲において常に第一の幕板４１及び固定パネル５６が正面視少なくとも一部分が重複するように構成されているので、下肢空間から光が漏れて天板付家具の見た目を損なうこともない。また本実施形態では、斯かる構成に加え、第一の幕板４１が可動天板３から垂下する態様としているので、可動天板３側に顧客が位置しているときは可動天板３の反使用縁から書類等が脱落しても固定天板１側の下肢空間に書類等が紛れ込むこともない。また固定パネル５６は可動天板３側から遠い位置に配されているため、可動天板３の使用者にはより広い下肢空間を提供し得るものとなっている。
【００４８】
以上のように、本実施形態に係る天板付家具は、上述した構成により、可動天板３を昇降可能に支持するための構成を側板７に設ける必要性を有効に排除せしめている。その結果、側板７を薄く構成したり側板７自体を設けない構成としたりして下肢空間を幅方向に大きく確保し得ている。またフレーム構造体５内に横配線空間Ｓを設けることで、配線Ｈの取り回しも容易に行うことも実現されている。すなわち本実施形態によれば、天板下方のスペースを広く取ることができ、配線Ｈの取り回しも容易に行い得る天板付家具が実現されている。
【００４９】
フレーム構造体５の厚みを有効に抑えつつ横配線空間Ｓによる配線Ｈの取り回しを行い易くするために本実施形態では、フレーム構造体５を、床面近傍に横方向に延びる下フレーム５１と、この下フレーム５１の両側から立設する側フレーム５２と、下フレーム５１の中間位置から支持構造体６を支持するとともに横方向に配線Ｈを挿通し得る配線挿通孔５４ｂを有する支持フレーム５４とを具備したものとし、下フレーム５１近傍から配線挿通孔５４ｂに亘って横配線空間Ｓを形成する態様を採用している。
【００５０】
簡素な構成で横配線空間Ｓを構成するために本実施形態では、下フレーム５１を上向きに開口するチャネル材とし、下フレーム５１の中間位置に中空枠状の支持フレーム５４を固定している。
【００５１】
特に、支持構造体６を作動させるための配線Ｈの取り回しを好適に行い得るための構成として本実施形態では、支持構造体６を、昇降動作する上端部に接続された電源ケーブル６１から供給される電動によりテレスコープ状に突没可能な昇降機構６０を有するものとし、フレーム構造体５を、側フレーム５２の上端間に架設され電源ケーブル６１を挿通し得る上挿通孔５３ａを有した上フレーム５３を有し、電源ケーブル６１を、天板から垂下させた案内部材３１に沿って案内するとともに上挿通孔５３ａを挿通し下方へ案内する態様としている。
【００５２】
フレーム構造体５内に挿通させる配線Ｈの種類が多くなっても互いの配線Ｈ同士が干渉し難いようにするために本実施形態では、フレーム構造体５を、上フレーム５３から垂下させ上下方向における中間位置で配線Ｈを案内し得る配線ダクト５５を設けた。
【００５３】
接客を目的とした用途に好適に対応できるようにするために本実施形態では、可動天板３の反使用縁側に隣接されフレーム構造体５に固定された固定天板１をさらに有するものとし、フレーム構造体５が天板の反使用縁側のみから配線Ｈを引き出し可能に構成した。
【００５４】
そして、下肢空間における配線Ｈの取り回しやメンテナンス作業を行い易いようにするために本実施形態では、フレーム構造体５を、可動天板３の反使用縁側にのみ開放された形状とした。
【００５５】
配線Ｈの外方への案内を容易なものとしつつ複数の天板付家具を利用したレイアウトをとっても配線Ｈが外方に露出し難いものとするために本実施形態では、側フレーム５２の外側に立設され天板下方の下肢空間を側方に仕切り得る側板７を有するものとし、この側板７が、フレーム構造体５内へのアクセスを可能とするための通線窓７２を設けた。
【００５６】
以上、本発明の一実施形態について説明したが、各部の具体的な構成は、上述した実施形態のみに限定されるものではなく、本発明の趣旨を逸脱しない範囲で種々変形が可能である。
例えば上記実施形態では横配線空間に配線や電源ケーブルといった線状の構成のみを収容する態様を開示したが勿論、フレーム構造体内に別途コンセントタップや電源アダプタ、或いはＬＡＮケーブルを接続するハブを内蔵する等、本発明のフレーム構造体は広範な用途に適用可能である。また勿論、支持構造体は天板を電気的に昇降させる態様のみならず、例えばガススプリングにより天板を上昇させ得るようなものであっても本発明の概念に含まれる。
【００５７】
また、フレーム構造体、支持構造体、幕板の具体的な形状や仕様といったその他の詳細な構成も、本発明の趣旨を逸脱しない範囲で種々変形が可能である。
【符号の説明】
【００５８】
１・・・固定天板
３・・・可動天板
３１・・・案内部材
５・・・フレーム構造体
５１・・・下フレーム
５２・・・側フレーム
５３・・・上フレーム
５３ａ・・・上挿通孔
５４・・・支持フレーム
５４ｂ・・・配線挿通孔
５５・・・配線ダクト
６・・・支持構造体
６１・・・電源ケーブル
７・・・側板
７２・・・通線窓
Ｓ・・・横配線空間
【図１】
2018079024.tif 000003
【図２】
2018079024.tif 000004
【図３】
2018079024.tif 000005
【図４】
2018079024.tif 000006
【図５】
2018079024.tif 000007
【図６】
2018079024.tif 000008
【図７】
2018079024.tif 000009
【図８】
2018079024.tif 000010
【図９】
2018079024.tif 000011
【図１０】
2018079024.tif 000012